【事件の表示】
　特許第２７８８９６９号「ウェザーストリップ、並びにその成形方法及び装置」の請求項１ないし９に係る特許に対する特許異議の申立てについて、次のとおり決定する。
【結論】
　訂正を認める。
　特許第２７８８９６９号の請求項１ないし９に係る特許を維持する。
【理由】
Ｉ．手続きの経緯
　本件特許第２７８８９６９号発明は、平成１年１１月１４日に特許出願され、平成１０年６月１２日にその特許の設定登録がなされ、その後、井上盛夫より特許異議の申立がなされ、平成１１年６月９日付けで取消理由通知がなされ、その指定期間内である平成１１年８月２６日に訂正請求がなされたものである。
ＩＩ．訂正の適否についての判断
１、「特許請求の範囲」の訂正に対して
（１）訂正の内容
ａ．請求項１の記載「【請求項１】周長の異なる二つのウェザーストリップ部が連続しているウェザーストリップであって、前記した周長の異なる各ウェザーストリップ部は、中空を形成する壁部の肉厚を一定に保持したまま周長が変化して、長手方向に連続して一体成形されていることを特徴とするウェザーストリップ。」を、
「【請求項１】周長の異なる二つのウェザーストリップ部が連続しているウェザーストリップであって、前記した周長の異なる各ウェザーストリップ部は、中空を形成する壁部の各部分の肉厚を一定に保持し、しかも該壁部におけるシール部を形成する部分を除く部分の長さの変化により、全体の周長が変化して、長手方向に連続して一体成形されていることを特徴とするウェザーストリップ。」　（以下、本件訂正発明１という）と訂正する。
（２）訂正の目的の適否、新規事項の有無及び拡張・変更の存否
　上記訂正において、「壁部の肉厚」を上記「壁部の各部分の肉厚」とする訂正は、「壁部」を複数の部分から構成されれているものに限定するものであるから、特許請求の範囲の減縮に該当し、かつ、複数の部分から構成されている壁部は、本件願書に添付した明細書及び図面に記載されているものであるから、この訂正は願書に添付した明細書又は図面に記載した事項の範囲内のものであるといえる。
　また、「周長が変化して」を「しかも該壁部におけるシール部を形成する部分を除く部分の長さの変化により、全体の周長が変化して」とする訂正は、周長の変化を、シール部を形成する部分を除く部分の長さの変化により行うものに限定するものであるから、特許請求の範囲の減縮に該当し、かつ、シール部を形成する部分を除く部分の長さを変化させることにより周長を変化させることは、本件願書に添付した明細書及び図面に記載されているから、この訂正は願書に添付した明細書又は図面に記載した事項の範囲内のものであるといえる。
　そして、これらの訂正は、実質的に特許請求の範囲を拡張又は変更するものではない。
２、「発明の詳細な説明の項」の訂正に対して
（１）訂正の内容
ａ．明細書の第６頁１９〜２０行の記載「・・中空を形成する壁部の肉厚は一定していて、・・」を、「・・中空を形成する壁部の各部分の肉厚はいずれも一定していて、・・」と訂正する。
ｂ．明細書の第７頁１４〜２０行の記載「請求項１の発明に係るウェザーストリップは、・・・作用効果もある。」を、「請求項１の発明に係るウェザーストリップは、複数のウェザーストリップ部が連続一体成形されて、各ウェザーストリップ部は、その中空を形成する壁部の各部分の肉厚が一定に保持さているために、全体が同一色合いとなって外観が良好となると共に、周長の異なる複数のウェザーストリップ部の接続部分の強度が増して、この部分における破損がなくなり、更に、シール部の（周方向の）長さは、全長に亘って一定に保持されているため、全長に亘って安定したシール機能が得られる。また、中空を形成する壁部の各部分の肉厚が一定であるために、これらの作用効果に加えて、周長の長い部分の圧縮変形等に対する強度を、周長の短い部分の強度と同等に保持できるという作用効果もある。」と訂正する。
（２）訂正の目的の適否、新規事項の有無及び拡張・変更の存否
　上記各訂正は、特許請求の範囲の請求項１の訂正にともなって生じた明りょうでない記載の釈明を目的としてなされたものであり、これらの訂正は願書に添付した明細書又は図面に記載した事項の範囲内のものであり、また、これらの訂正は実質的に特許請求の範囲を拡張又は変更するものではない。
３、独立特許要件の判断
（１）請求項１の発明
　当審での上記取消理由通知において取消の対象としたのは請求項１の発明であるが、この発明は、上記平成１１年８月２６日付けの訂正請求書により訂正されたので、訂正された特許請求の範囲の請求項１に記載された事項により特定されるとおりのもの（上記、本件訂正発明１）である。
（２）当審が通知した取消理由で引用した引用文献
引用文献１：特開昭６２−１２１０３０号公報
　「１．取付け部と、断面変化を有する中空シール部とからなるウエザストリップであって、前記中空シール部の断面変化が、押出成形により内外面の双方を連続的に変化させて達成されていることを特徴とするウエザストリップ。
２．取付け部と、断面変化を有する中空シール部とからなるウエザストリップを押出成形により連続的に製造する方法であって、前記中空シール部の内面をインナーダイに押出方向に対向して上り階段状に形成された各段ランド部インナーにより付形するとともに、前記中空シール部の外面を、前記段ランド部インナーの最終段に対応してアウターダイに形成された固定ランド部アウター、及び、他の前記各段ランド部インナーに対応して各可動ダイ先端の各可動ランド部アウターでそれぞれ付形して、前記中空シール部の内外面の双方を連続的に変化させて行なうことを特徴とするウエザストリップの製造方法。」（特許請求の範囲）が記載されており、さらに、「本発明の方法はウエザストリップの中空シール部の断面形状を、ドアの各コーナ部及び各ストレート部（中略）に応じて同一肉厚で断面形状のみを変化させ（中略）ることができる。（「ア」の記載という）」（第３頁左下欄下から３行から同頁右下欄３行）の記載が認められる。
引用文献２：先願である特願平２−１７９３７８号の願書に添付された明細書及び図面（特開平３−４３２２８号公報）
　「（１）エラストマー材料で成る定着形材部と、該定着形材部と同時押し出しされるとともにその長さに沿って壁厚が実質的に均一とされる、エラストマー材料で成る管状封止形部材とから構成するウェザーストリップであって、コーナー部又は障害物の隣接部等の臨界領域を有する縁部、特に自動車の車体の開口縁部又はそのような開口の閉鎖素子縁部に適用する、ウェザーストリップにおいて、上記縁部の臨界領域に適用しようとする各部分で管状封止形材部の横断寸法を増大又は低減せしめるとともにその壁厚を実質的に一定のものに形成したことを特徴とする、ウェザーストリップ。
（２）第１項に記載のウェザーストリップを押し出し成形するにあたり、同一面上に定着形部材の断面形状に応じた形状を有する主開口から分岐する２つのアームから成る、押し出しオリフィスを有するダイを設け、上記ダイの押し出しオリフィスに隣接するとともに管状封止形部材の壁部末端部に応じた円弧状オリフィスを有する、押し出し手段を設け、上記ダイの押し出しオリフィスを介してエラストマー材料流体を供給する一方、上記可動押し出し手段の円弧状オリフィスを介して工ラストマー材料流体を供給し、上記ダイの押し出しオリフィスから分岐するアームの末端部を遮蔽して該アームの伸長量を可変とし、上記ダイの押し出しオリフィスの各アームからの押し出し物の対応する長手方向縁部に上記可動押し出し手段のオリフィスからの押し出し物の長手方向縁部を接合することを特徴とする、ウェザーストリップの製造方法。」（特許請求の範囲第１項及び第２項）が記載されている。
（３）対比・判断
ｉ　特許法第２９条１項３号違反について
　本件訂正発明１（前者）と引用文献１の請求項１記載の発明（前記「ア」の記載に従った発明、後者）を対比すると、両者はともに、「周長の異なる二つのウェザーストリップ部が連続しているウェザーストリップであって、前記した周長の異なる各ウェザーストリップ部は、中空を形成する壁部の肉厚を一定に保持して、長手方向に連続して一体成形されているウェザーストリップ。」である点で軌を一にしている。
　しかしながら、前者は、中空を形成する壁部が複数の部分（シール部とそれ以外の部分）からなっているのに対して、後者は単一の筒状壁（シール部分とそれ以外の部分の区別がつかない構造）で形成されている点で相違しており、また、前者の周長変化が、「シール部を形成する部分を除く部分の長さの変化により」実現されているのに対して、後者の周長の変化は、どの部分が変化しているのか特定できず、「シール部を形成する部分を除く部分の長さの変化により」実現されているとはいえない点でも相違が認められる。
　したがって、本件訂正発明１は、引用文献１に記載された発明と同一のものであるとはいえない。
ｉｉ　特許法第２９条の２違反について
　本件訂正発明１（前者）と上記先願明細書の請求項１記載の発明（後者）とを対比すると、両者はともに、「周長の異なる二つのウェザーストリップ部が連続しているウェザーストリップであって、前記した周長の異なる各ウェザーストリップ部は、中空を形成する壁部の肉厚を一定に保持しで、長手方向に連続して一体成形されているウェザーストリップ。」である点で一致しているけれども、前者は、中空を形成する壁部が複数の部分（シール部とそれ以外の部分）からなっているのに対して、後者は単一の円筒状の壁（シール部分とそれ以外の部分の区別がない）で形成されている点で相違しており、また、後者の周長の変化が、「シール部を形成する部分を除く部分の長さの変化により」実現されているものであるとはいえない点でも相違が認められる。
　したがって、本件訂正発明１が、上記先願明細書に記載された発明と同一のものであるとすることはできない。
　また、他に本件訂正発明１に係る特許を取り消すべき理由を発見しない。のは、
　よって、本件訂正発明１は、特許出願の際、独立して特許を受けることのできない発明であるとすることはできない。
４、むすび
　以上のとおりであるから、上記訂正請求は特許法第１２０条の４第２項の規定及び同条第３項で準用する同法第１２６条第２〜４項の規定に適合するので、当該訂正を認める。
ＩＩＩ．特許異議の申立についての判断
１、特許異議申立の理由の概要
　特許異議申立人　井上盛夫（以下、「申立人」という）は、甲第１〜５号証を提出して、
（主張１）本件請求項１及び２の発明は、甲第１号証に記載された発明であって、特許法第２９条第１項第３号の規定により特許を受けることのできないものであり、
（主張２）本件請求項１及び２の発明は、甲第１号証記載の発明から当業者が容易に発明をすることができた発明であって、特許法第２９条第２項の規定により特許を受けることのできないものであり、
（主張３）本件請求項１及び２の発明は、甲第２号証に記載された発明（先願発明）と同一の発明であって、特許法第２９条の２の規定により特許を受けることのできないものであり、
（主張４）本件請求項３〜９の発明は、甲第１号証記載の発明及び甲第３号証記載の発明から当業者が容易に発明をすることができた発明であって、特許法第２９条第２項の規定により特許を受けることのできないものであり、そして、
（主張５）本件請求項８の発明は、甲第１号証記載の発明、甲第３号証記載の発明及び甲第４号証記載の発明から当業者が容易に発明をすることができた発明であって、特許法第２９条第２項の規定により特許を受けることのできないものであるから、本件請求項１〜９の発明に係る特許は、取り消されるべきものである旨主張している。
２、本件発明
（１）本件請求項１の発明は、訂正された明細書の特許請求の範囲の請求項１に記載された、上記本件訂正発明１のとおりのものである。
（２）本件請求項２〜９の発明は、特許請求の範囲の請求項２〜９に記載された、次のとおりのものである。
　【請求項２】　断面視において中空を形成する壁部が取付け部に一体に設けられ、しかも周長の異なる二つのウェザーストリップ部が連続しているウェザーストリップであって、前記した二つのウェザーストリップ部は、前記取付け部に対して前記壁部を部分的に構成するシール部の位置が変化し、しかも壁部におけるシール部を形成する部分を除く部分の長さが変化して、全体の周長が変化していることを特徴とするウェザーストリップ。
（本件発明２という）
　【請求項３】　周長の異なる複数の各ウェザーストリップ部が連続して一体となっている構造のウェザーストリップの成形方法であって、周方向に沿って一部が破断されて長手方向に沿った開口部を有するウェザーストリップ原体が連続して押し出されている状態において、除去手段によって、前記ウェザーストリップ原体における開口部に臨む部分を除去して、その開口幅を各ウェザーストリップ部で変化させ、幅寄せ手段により、前記ウェザーストリップ原体の開口部の幅寄せを行って、該開口部を介して離隔している部分を中空状に融合させることを特徴とするウェザーストリップの成形方法。（本件発明３という）
　【請求項４】　除去手段は、カッターであることを特徴とする請求項３に記載のウェザーストリップの成形方法。（本件発明４という）
　【請求項５】　幅寄せ手段は、ウェザーストリップ原体を押し出すための成形ダイの前面に取付けられたローラーであることを特徴とする請求項３に記載のウェザーストリップの成形方法。（本件発明５という）
　【請求項６】　ウェザーストリップ原体の開口部を幅寄せして融合する際に補助的に機能する幅寄せ補助手段を用いることを特徴とする請求項３に記載のウェザーストリップの成形方法。（本件発明６という）
　【請求項７】　幅寄せ補助手段は、押出方向に沿って周長が段階的に短くなる中芯であることを特徴とする請求項６に記載のウェザーストリップの成形方法。（本件発明７という）
　【請求項８】　ウェザーストリップ原体の除去片は、常時連続していることを特徴とする請求項３に記載のウェザーストリップの成形方法。（本件発明８という）
　【請求項９】　周長の異なる複数の各ウェザーストリップ部が連続して一体成形されているウェザーストリップの成形装置であって、周方向に沿って一部が破断されて長手方向に沿った開口部を有するウェザーストリップ原体を連続して押出すための押出し用開口部が前端面に設けられている成形ダイと、前記ウェザーストリップ原体の開口部の部分の幅寄せを行って、該開口部を介して離隔している部分を融合させるための幅寄せ手段と、前記ウェザーストリップ原体における開口部に臨む部分を除去して、各ウェザーストリップ部の開口部の幅を変化させるための除去手段と、を備えていることを特徴とするウェザーストリップの成形装置。（本件発明９という）
３、甲各号証の発明
甲第１号証：特開昭６２−１２１０３０号公報
　当審が取消し理由通知で引用した引用文献１と同じものである。
甲第２号証：先願明細書（特開平３−４３２２８号公報）
　当審が取消し理由通知で引用した引用文献２と同じものである。
甲第３号証：特開昭６３−２４６２３３号公報
　「（１）断面形状が長手方向に変化する異形断面ウエザストリップを製造するに際し、一定断面１のウエザストリップを押出機より押出し、押出されたウエザストリップ内に切込みを入れて不必要部分を連続的に切除し、続いて不必要部分の切除により分離された部分を接合してウエザストリップを所定の異形断面となし、該ウエザストリップを加硫槽に送給することを特徴とする異形断面にウエザストリップの製造方法。」　（特許請求の範囲第１項）の発明が記載されている。
甲第４号証：特開昭６１−２３０９３０号公報
　「（１）ふくらんだ端部ないしヘッド部を備えたウェブの形状を呈する横断面を有する所定の形状の部分を含んでいるウェザーストリップであって、上記部分のウェブの大きさが上記ウェザーストリップの長手方向に沿って予め定められた最小値と最大値の間で変えられるようになっているウェザーストリップの製造方法において、上記最大値を越える横方向の大きさを有するタブ部を含んでいる成形体を押し出し、押し出しの後直ちに上記タブを押し出された材料を第１の流れと第２の流れに分割し、上記第（１）の流れの断面積が少なくとも成形される上記ウェザーストリップの上記部分の横断面の面積に等しい面積を有するようにし、措定形状を有する部分のウェブの横方向の大きさの変化に対応し、かつ押し出しの進行に従って上記タブが第１の流れと第２の流れに分割される際の比率を変更し、上記部分のヘッド部の横断面を形成するように上記第１の流れの横方向の端部を漸次成形する各ステップを含むことを特徴とするウェザーストリップの製造方法。」　（特許請求の範囲第１項）の発明が記載されている。
甲第５号証：本件特許権者による平成１０年２月１０日付け意見書
４、対比・判断
（主張１）特許法第２９条第１項第３号違反に対して
ｉ本件訂正発明１
　訂正前の本件請求項１の発明に対する申立人の主張１は、当審で通知した取消理由通知における取消理由１と同じであるから、上記「ＩＩ．の３、の（３）のｉの特許法第２９条第１項第３号違反について」の項で示したのと同じ理由により、本件訂正発明１は、甲第１号証記載の発明と同一のものであるとすることはできない。
ｉｉ本件発明２
　本件発明２は、本件訂正発明１における２つの要件「中空を形成する壁部が複数の部分（シール部とそれ以外の部分）からなっている」及び「周長変化が、シール部を形成する部分を除く部分の長さの変化によりなされている」を、同じく要件としているものであるから、上記「ＩＩ．の３、の（３）のｉの特許法第２９条第１項第３号違反について」の項で示したのと同じ理由により甲第１号証記載の発明と同一のものであるとすることはできない。
（主張２）特許法第２９条第２項違反に対して
ｉ本件訂正発明１及び本件発明２
　甲第１号証には、本件訂正発明１及び本件発明２がそれぞれ構成要件としている「中空を形成する壁部が複数の部分（シール部とそれ以外の部分）からなっている」及び「周長変化が、シール部を形成する部分を除く部分の長さの変化によりなされている」点について記載されておらず、それらを示唆する記載がない。
　そして、本件訂正発明１及び本件発明２はこれら要件を備えることにより、ウェザーストリップの全長に亘って安定したシール機能が発揮されるなどの、本件特許明細書記載の効果を奏し得ているものである。
　したがって、本件訂正発明１及び本件発明２が甲第１号証記載の発明から当業者が容易に発明をすることができたものであるとはいえない。
（主張３）特許法第２９条の２違反に対して
ｉ本件訂正発明１について
　訂正前の本件請求項１の発明に対する申立人の主張３は、当審で通知した取消理由通知における取消理由２と同じであるから、上記「ＩＩ．の３、の（３）のｉｉの特許法第２９条の２違反について」の項で示したのと同じ理由により、本件訂正発明１は、先願明細書記載の発明と同一のものであるとすることができない。
ｉｉ　本件発明２について
　本件発明２は、本件訂正発明１における２つの要件「中空を形成する壁部が複数の部分（シール部とそれ以外の部分）からなっている」及び「周長変化が、シール部を形成する部分を除く部分の長さの変化によりなされている」を、同じく要件としているものであるから、上記［ＩＩ．の３、の（３）のｉｉの特許法第２９条の２違反について」の項で示したのと同じ理由により、本件発明２は、先願明細書記載の発明と同一のものであるとすることができない。
（主張４）特許法第２９条第２項違反に対して
ｉ本件発明３〜８について
　甲第１号証及び甲第３号証には、周長の異なる複数の各ウェザーストリップ部が連続して一体となっている構造のウェザーストリップの押出し成形方法が記載されているけれども、本件発明３〜８が構成要件としてる「周方向に沿って一部が破断されて長手方向に沿った開口部を有するウェザーストリップ原体が連続して押し出されている状態において、除去手段によって、前記ウェザーストリップ原体における開口部に臨む部分を除去して、その開口幅を各ウェザーストリップ部で変化させ、幅寄せ手段により、前記ウェザーストリップ原体の開口部の幅寄せを行って、該開口部を介して離隔している部分を中空状に融合させる」ことについては、記載されていないし、それを示唆する記載もみられない。
　そして、本件発明３〜８はかかる要件を備えることにより、本件特許明細書記載のとおりの効果を奏し得ているものである。
　したがって、本件発明３〜８が甲第１号証及び甲第３号証記載の発明から当業者が容易に発明をすることができたものであるとはいえない。
ｉｉ本件発明９について
　甲第１号証及び甲第３号証には、周長の異なる複数の各ウェザーストリップ部が連続して一体成形されているウェザーストリップの押出し成形装置が記載されているけれども、本件発明９が構成要件としてる「周方向に沿って一部が破断されて長手方向に沿った開口部を有するウェザーストリップ原体を連続して押出すための押出し用開口が前端面に設けられている成形ダイ」及び［ウェザーストリップ原体の開口部の部分の幅寄せを行って、該開口部を介して離隔している部分を融合させるための幅寄せ手段」については、記載されていないし、それを示唆する記載もみられない。
　そして、本件発明９はこれら要件を備えることにより、本件特許明細書記載のとおりの効果を奏し得ているものである。
　したがって、本件発明９が甲第１号証及び甲第３号証記載の発明から当業者が容易に発明をすることができたものであるとはいえない。
（主張５）特許法第２９条第２項違反に対して
ｉ本件発明８について
　甲第１号証、甲第３号証及び甲第４号証には、周長の異なる複数の各ウェザーストリップ部が連続して一体となっている構造のウェザーストリップの押出し成形方法が記載されているけれども、本件発明８が構成要件としてる「周方向に沿って一部が破断されて長手方向に沿った開口部を有するウェザーストリップ原体が連続して押し出されている状態において、除去手段によって、前記ウェザーストリップ原体における開口部に臨む部分を除去して、その開口幅を各ウェザーストリップ部で変化させ、幅寄せ手段により、前記ウェザーストリップ原体の開口部の幅寄せを行って、該開口部を介して離隔している部分を中空状に融合させる」ことについては、記載されていないし、それを示唆する記載もみられない。
　そして、本件発明８はかかる要件を備えることにより、本件特許明細書記載のとおりの効果を奏し得ているものである。　
　したがって、本件発明８が甲第１号証、甲第３号証及び甲第４号証記載の発明から当業者が容易に発明をすることができたものであるとはいえない。
　よって、申立人の前記（主張１）〜（主張５）はいずれも理由があるとすることはできない。
ＩＶ．むすび
　以上のとおりであるから、特許異議申立の理由及び証拠によっては本件請求項１〜９の発明に係る特許を取り消すことはできない。
　また、他に本件請求項１〜９の発明に係る特許を取り消すべき理由を発見しない。
　よって、結論のとおり決定する。
【異議決定日】
平成１１年９月１４日（１９９９．９．１４）
【訂正の要旨】
　特許第２７８８９６９号発明の明細書中、
Ａ．特許請求の範囲の記載において、
ａ．請求項１の記載「【請求項１】周長の異なる二つのウェザーストリップ部が連続しているウェザーストリップであって、前記した周長の異なる各ウェザーストリップ部は、中空を形成する壁部の肉厚を一定に保持したまま周長が変化して、長手方向に連続して一体成形されていることを特徴とするウェザーストリップ。」を、特許請求の範囲の減縮を目的として、
「【請求項１】周長の異なる二つのウェザーストリップ部が連続しているウェザーストリップであって、前記した周長の異なる各ウェザーストリップ部は、中空を形成する壁部の各部分の肉厚を一定に保持し、しかも該壁部におけるシール部を形成する部分を除く部分の長さの変化により、全体の周長が変化して、長手方向に連続して一体成形されていることを特徴とするウェザーストリップ。」と訂正する。
Ｂ．発明の詳細な説明の項の記載において、それぞれ明りょうでない記載の釈明を目的として、
ａ．明細書の第６頁１９〜２０行の記載「・・中空を形成する壁部の肉厚は一定していて、・・」を、「・・中空を形成する壁部の各部分の肉厚はいずれも一定していて、・・」と訂正する。
ｂ．明細書の第７頁１４〜２０行の記載「請求項１の発明に係るウェザーストリップは、・・・作用効果もある。」を、　「請求項１の発明に係るウェザーストリップは、複数のウェザーストリップ部が連続一体成形されて、各ウェザーストリップ部は、その中空を形成する壁部の各部分の肉厚が一定に保持さているために、全体が同一色合いとなって外観が良好となると共に、周長の異なる複数のウェザーストリップ部の接続部分の強度が増して、この部分における破損がなくなり、更に、シール部の（周方向の）長さは、全長に亘って一定に保持されているため、全長に亘って安定したシール機能が得られる。また、中空を形成する壁部の各部分の肉厚が一定であるために、これらの作用効果に加えて、周長の長い部分の圧縮変形等に対する強度を、周長の短い部分の強度と同等に保持できるという作用効果もある。」と訂正する。
（５４）【発明の名称】
ウェザーストリップ、並びにその成形方法及び装置
（５７）【特許請求の範囲】
（１）周長の異なる二つのウェザーストリップ部が連続しているウェザーストリップであって、
　前記した周長の異なる各ウェザーストリップ部は、中空を形成する壁部の
各部分の肉厚を
しかも該壁部におけるシール部を形成する部分を除く部分の長さの変化により、全体の周長が変化して
（２）断面視において中空を形成する壁部が取付け部に一体に設けられ、しかも周長の異なる二つのウェザーストリップ部が連続しているウェザーストリップであって、
　前記した二つのウェザーストリップ部は、前記取付け部に対して前記壁部を部分的に構成するシール部の位置が変化し、しかも壁部におけるシール部を形成する部分を除く部分の長さが変化して、全体の周長が変化していることを特徴とするウェザーストリップ。
（３）周長の異なる複数の各ウェザーストリップ部が連続して一体となっている構造のウェザーストリップの成形方法であって、
　周方向に沿って一部が破断されて長手方向に沿った開口部を有するウェザーストリップ原体が連続して押し出されている状態において、
　除去手段によって、前記ウェザーストリップ原体における開口部に臨む部分を除去して、その開口幅を各ウェザーストリップ部で変化させ、幅寄せ手段により、前記ウェザーストリップ原体の開口部の幅寄せを行って、該開口部を介して離隔している部分を中空状に融合させることを特徴とするウェザーストリップの成形方法。
（４）除去手段は、カッターであることを特徴とする請求項３に記載のウェザーストリップの成形方法。
（５）幅寄せ手段は、ウェザーストリップ原体を押し出すための成形ダイの前面に取付けられたローラーであることを特徴とする請求項３に記載のウェザーストリップの成形方法。
（６）ウェザーストリップ原体の開口部を幅寄せして融合する際に補助的に機能する幅寄せ補助手段を用いることを特徴とする請求項３に記載のウェザーストリップの成形方法。
（７）幅寄せ補助手段は、押出方向に沿って周長が段階的に短くなる中芯であることを特徴とする請求項６に記載のウェザーストリップの成形方法。
（８）ウェザーストリップ原体の除去片は、常時連続していることを特徴とする請求項３に記載のウェザーストリップの成形方法。
（９）周長の異なる複数の各ウェザーストリップ部が連続して一体成形されているウェザーストリップの成形装置であって、
　周方向に沿って一部が破断されて長手方法に沿った開口部を有するウェザーストリップ原体を連続して押出すための押出し用開口が前端面に設けられている成形ダイと、前記ウェザーストリップ原体の開口部の部分の幅寄せを行って、該開口部を介して離隔している部分を融合させるための幅寄せ手段と、前記ウェザーストリップ原体における開口部に臨む部分を除去して、各ウェザーストリップ部の開口部の幅を変化させるための除去手段と、を備えていることを特徴とするウェザーストリップの成形装置。
【発明の詳細な説明】
　　　　　　　　　　　　　〔産業上の利用分野〕
　本発明は、周長の異なる複数のウェザーストリップ部が連続しているウェザーストリップ、並びにその成形方法及び装置に関するものである。
　なお、本明細書において「周長」とは、ウェザーストリップなどの中空成形品の横断面における周方向に沿った長さのことをいう。
　　　　　　　　　　　　　　　〔従来の技術〕
　中空構造のウェザーストリップは、例えば、ドアーフレームと、ドアー開口部を形成している車体フレームとの間隔が部分的に異なっている場合、或いはドアーの上半部と下半部において、変形による反発力を異ならしめて、ドアーの閉り性、シール性を高める場合などにおいても使用されている。
　従来の中空品の押出成形法においては、中空品の肉厚を部分的に変化させたり、中空品に設けられているリップなどの突出部の長さを部分的に変化させる成形技術はあったが、周長が部分的に異なるウェザーストリップの成形に関しては、周長の異なる二つのウェザーストリップ部を別々に押出成形して、各ウェザーストリップ部を金型を使用して接合していた。
　このため、製品面においては、押出成形されたウェザーストリップ部と、型成形された接合部との色合いが微妙に異なって、ウェザーストリップとしての外観を害したり、或いは接合部の強度が他の部分に比較して弱いために、接合部において破損したりすることがあった。また、成形法の面においては、多種類の成形ダイを保有しておく必要があると共に、成形品が異なる毎に成形装置の段取りを行わねばならないため、段取り時間が嵩み、更に型接合のための専用の金型と、その成形工数を必要とするため、成形能率が悪かった。
　　　　　　　　　　〔発明が解決しようとする課題〕
　本発明は、周長の異なる複数の部分が連続しているウェザーストリップを連続一体成形することにより、成形工数を少なくすると共に、成形品としての品質を高めることを課題としてなされたものである。
　　　　　　　　　　　〔課題を解決するための手段〕
　この課題を達成するために本発明が採用した手段は、周長の異なる複数の各ウェザーストリップ部が連続して一体となっている構造のウェザーストリップを成形するに際して、周方向に沿って一部が破断されて長手方向に沿った開口部を有するウェザーストリップ原体が連続して押し出されている状態において、除去手段によって、前記ウェザーストリップ原体における開口部に臨む部分を除去して、その開口幅を各ウェザーストリップ部で変化させ、幅寄せ手段により、前記ウェザーストリップ原体の開口部の幅寄せを行って、該開口部を介して離隔している部分を融合させることである。
　　　　　　　　　　　　　　〔実施例〕
　以下、実施例を挙げて、本発明を更に詳細に説明する。
　最初に、第１図ないし第５図を参照にして、本発明に係るウェザーストリップＳ１の構造について説明し、次にその成形方法について説明する。
　第１図に示されるように、このウェザーストリップＳ１は、ドアーフレーム１の内側の周縁に環状となって装着される。第２図ないし第５図に示されるように、ドアーフレーム１の上半部Ａに装着される第１のウェザーストリップ部Ｓ１ａの周長は、その下半部Ｂに装着される第２のウェザーストリップ部Ｓ１ｂの周長よりも長くなっており、両ウェザーストリップ部Ｓ１ａ，Ｓ１ｂは、連続一体成形されていて、接続部Ｓ１ｃの部分で互いに接続されている。
　第２図でＩ−Ｉ線〜ＩＶ−ＩＶ線で示される断面部分の車体フレーム２の位置が、対応するローマ数字をもって第４図に示されており、これから理解できるように、ドアー開口部３を形成している車体フレーム２の断面形状は、その位置によって部分的に異なっている。これに対応して、第１及び第２の各ウェザーストリップ部Ｓ１ａ，Ｓ１ｂは、ドアーフレーム１への取付け部２１に対するシール部２２の位置が変化するように、その周長が変化している。
　なお、ウエザーストリップＳ１は、後述の成形法により周長の長い第１のウェザーストリップ部Ｓ１ａと、周長の短い第２のウェザーストリップ部Ｓ１ｂとが一体成形されたものであるが、連続成形されたウェザーストリップＳ１を切断して環状にしているために、その一個所に接合部４が設けられる。
　次に、第６図ないし第１４図を参照にして、上記したウェザーストリップＳ１の成形方法について説明する。
　成形ダイ５の前端面には、周方向に沿って一部が破断されて長手方向に沿った開口部６（第１１図及び第１２図参照）を有するウェザーストリップ原体Ｓ１’を成形するための押出し用開口７が設けられている（第９図参照）。
　第９図に示されるように、中芯８は、押出方向に沿って周長が段階的（実施例のものは、三段階）に短くなっていて、この中芯８が、成形ダイ５に設けられた押出し用開口７に挿入されていると共に、成形ダイ５の前端面から所定長さ突出している。この実施例の中芯８は、成形するウェザーストリップＳ１の形状に対応して、その幅が段階的に狭くなることにより、周長が段階的に短くなっている。８ａ，　８ｂは、中芯８における周長が変化している部分であって、周長変化部８ａは、同８ｂよりも押出方向に対して上流側のものである。
　第７図、第８図及び第１０図に示されるように、中芯８の各周長変化部８ａ，８ｂの側方には、それぞれ固定成形ローラー９、及び可動成形ローラー１１が所定間隔をおいて設けられている。可動成形ローラー１１は、ウェザーストリップＳ１の押出方向と直交する方向に沿って移動可能である。第１３図及び第１４図に示されるように、固定成形ローラー９、及び可動成形ローラー１１は、ウェザーストリップＳ１における成形部分の形状に対応している。
　また、成形ダイ５の前端面にはシリンダー１２が取付けられており、このシリンダー１２のロッド１２ａの先端部にカッター１３が取付けられている。シリンダー１２のロツド１２ａの出入りにより、カッター１３は、押出されるウェザーストリップ原体Ｓ１’の幅方向に移動する。第９図に示されるように、カッター１３の移動によって、このカッター１３と中芯８とが干渉するのを避けるために、中芯８には、穴部１４が設けられている。
　第６図に示される成形状態は、仮想の状態であって、成形ダイ５の押出し用開口７からウェザーストリップ原体Ｓ１’がそのまま押出されている。ウェザーストリップ原体Ｓ１’は、周方向に沿って破断されていて、押出方向に沿って幅Ｗ１の開口部６が形成されている。
　第７図に示される状態は、周長の長い第１のウェザーストリップ部Ｓ１ａの成形状態であって、可動成形ローラー１１は、成形位置から退避している。成形ダイ５の押出し用開口７から押出されたウェザーストリップ原体Ｓ１’の一側方の部分（シール部２２）は、押出された直後に、固定成形ローラー９と中芯８の周長変化部８ａとの間を通過することにより、変形される。これにより、ウェザーストリップ原体Ｓ１’の開口部６が形成されている部分の幅寄せが行われて、開口部６を介して離隔している部分が融合されて、第１のウェザーストリップ部Ｓ１ａが成形される（第１１図参照）。
　第８図及び第１０図に示される状態は、周長の短い第２のウェザーストリップ部Ｓ１ｂの成形状態であって、可動成形ローラー１１は、正規の成形位置に配置されていると共に、第１２図に示されるように、シリンダー１２のロツド１２ａが突出して、成形ダイ５の押出し用開口７から押出されたウェザーストリップ原体Ｓ１’の開口部６の周辺部分が、カッター１３により所定幅だけ切除されて、カッター１３の部分を通過した直後のウェザーストリップ原体Ｓ１’の開口部６’の幅Ｗ２は、前記幅Ｗ１よりも広くなっている。
　カッター１３により切除されて幅が広くなった開口部６’を有するウェザーストリップ原体Ｓ１’の一側方の部分（シール部２２）は、固定成形ローラー９と中芯８の周長変化部８ａとの間を通過して変形され、これにより幅寄せされて、その開口部６”の幅Ｗ３が狭くなり、更にその後にウェザーストリップ原体Ｓ１’の上記部分は、可動成形ローラー１１と中芯８の周長変化部８ｂとの間を通過することにより、開口部６”を介して離隔している部分が融合されて、第２のウェザーストリップ部Ｓ１ｂが成形される。これにより、第２のウェザーストリップ部Ｓ１ｂでは、中空を形成する壁部のうち前記シール部２２を除く部分の長さが前記第１のウェザーストリップ部Ｓ１ａよりも短くなって、全体の周長が短くなる。
　そして、ウェザーストリップ原体Ｓ１’における開口部６’を介して離隔している部分が融合された直後に、傾斜ローラー１６によって周辺の生地が融合部１５に寄せられ、その後に傾斜ローラー１６の下流側に設けられた．整形ローラー１７によって、融合部１５が整形される。これにより、融合部１５が適正な状態に調整される。なお、第１０図において、１８は、カッター１３によって、ウェザーストリップ原体Ｓ１’の開口部６の周辺部分を切除することにより生ずる生地の切除片を示す。
　このように、本発明の成形方法では、周長の異なる各ウェザーストリップ原体の開口部を幅寄せして、中空状に融合させているために、周長の異なる第１及び第２の各ウェザーストリップ部Ｓ１ａ，Ｓ１ｂにおいて、中空を形成する壁部の
各部分の
いずれも
　なお、上記した実施例の成形方法は、あくまでも本発明の一実施例であって、以下に述べるように改変したものも、本発明の技術的範囲に含まれるものである。
（１）上記実施例は、幅寄せ手段である一個の固定成形ローラー９及び一個の可動成形ローラー１１と、幅寄せ補助手段である中芯８とを使用して、ウェザーストリップ原体Ｓ１’を２回変形させることにより、周長の短い第２のウェザーストリップ部Ｓ１ｂを成形しているが、可動成形ローラー１１を複数個使用して、ウェザーストリップ原体Ｓ１’を３回以上変形することも可能である。このようにすると、周長の異なる３つ以上の部分を一体成形できると共に、周長の異なる２つの部分を一体成形する場合において、その周長の差が大きい場合に効果がある。
（２）上記実施例では、周長の長い第１のウェザーストリップ部Ｓ１ａを成形する場合には、ウェザーストリップ原体Ｓ１’の開口部６の周辺を切除してはいないが、このような場合においてもウェザーストリップ原体Ｓ１’の開口部６の周辺を切除すると、切除片１８が連続して、その後処理がし易くなる。
（３）幅寄せ手段である固定成形ローラー、或いは可動成形ローラーと、幅寄せ補助手段である中芯との間隔を、ウェザーストリップ原体の肉厚よりも狭くしておくと、生地を加圧しながら成形することができ、これにより押出成形品としての品質が高まる．
（４）成形可能なウェザーストリップは、上記実施例のような変則角筒状のものに限られず、第１５図に示されるような円管状のウェザーストリップＳ２もある。成形するウェザーストリップの形状に対応して、固定成形ローラー、及び可動成形ローラーの形状と、中芯の側方への配置位置を変えればよい。
　　　　　　　　　　　　　　　〔発明の効果〕
　請求項１の発明に係るウェザーストリップは、複数のウェザーストリップ部が連続一体成形されて、各ウェザーストリップ部は、その中空を形成する壁部の
各部分の
り、更に、シール部の（周方向の）長さは、全長に亘って一定に保持されているため、全長に亘って安定したシール機能が得られる。
中空を形成する壁部の各部分の肉厚が一定であるために、
　また、請求項２の発明に係るウェザーストリップは、取付け部に対するシール部の位置が変化し、しかも壁部における該シール部を除く部分の長さが変化して、全体の周長が変化する構成であるために、シール部の長さを全長に亘って一定に保持したままで、異なる二つの各ウェザーストリップ部の周長を変化させられて、全長に亘って安定したシール機能が発揮される。
　更に、請求項３ないし９に記載の発明に係るウェザーストリップの成形方法及び装置によれば、複数のウェザーストリップ部が一体となっていて、しかも各ウェザーストリップ部は、その中空を形成する壁部の
各部分の
【図面の簡単な説明】
　第１図は、本発明に係るウェザーストリップＳ１を装着したドアーＤを備えた自動車の部分斜視図、第２図は、そのドアーＤの正面図、第３図は、本発明に係るウェザーストリップＳ１の正面図、第４図は、ドアー開口部３を形成している車体フレーム２と、ウェザーストリップＳ１の位置関係を示す図、第５図は、本発明に係るウェザーストリップＳ１の部分平面図、第６図は、ウェザーストリップ原体Ｓ１’の状態で成形している仮想状態の中芯８の部分の平面断面図、第７図は、周長の長い第１のウェザーストリップ部Ｓ１ａの成形状態の中芯８の部分の平面断面図、第８図は、同じく周長の短い第２のウェザーストリップ部Ｓ１ｂの成形状態の中芯８の部分の平面断面図、第９図は、非成形状態における成形ダイ５の斜視図、第１０図は、第２のウェザーストリップ部Ｓ１ｂを成形している状態における成形ダイ５の斜視図、第１１図及び第１２図は、それぞれ第１及び第２のウェザーストリップ部Ｓ１ａ，ｓ１ｂの成形状態におけるウェザーストリップ原体Ｓ１’に対するカッター１３の位置を示す図、第１３図及び第１４図は、それぞれ固定成形ローラー９及び可動成形ローラー１１の形状を示す図、第１５図は、本発明によって成形可能な別のウェザーストリップＳ２の正面図である。
　本発明を構成している主要部分の符号の説明は以下の通りである。
Ｓ１，Ｓ２：ウェザーストリップ
Ｓ１’：ウェザーストリップ原体
Ｓ１ａ：第１のウェザーストリップ部
Ｓ１ｂ：第２のウェザーストリップ部
　１：ドアーフレーム　２：車体フレーム
　３：ドアー開口部　　５：成形ダイ
　６，　６’，　６”：ウェザーストリップ原体の開口部
　７：成形ダイの押出し用開口　　８：中芯（幅寄せ補助手段）
８ａ，　８ｂ：中芯の周長変化部
　９：固定成形ローラー（幅寄せ手段）
１１：可動成形ローラー（幅寄せ手段）　　１３：カッター（除去手段）
１５：生地の融合部　　　　１８：生地の切除片（除去片）
２１：ウェザーストリップの取付け部
２２：ウェザーストリップのシール部